(57)【要約】【課題】工程内あるいは出荷後テストモードでの偽造防止に配慮されたカラー画像形成装置を実現する。【解決手段】画像形成動作可能であるが製造工程内である場合には工程モードの状態を示す情報を保存する状態保存部と、読み込まれた画像データあるいは外部から供給された画像データを画像形成用に画像処理する画像処理部と、前記画像処理部で処理された画像データを受けて画像形成を実行するプリンタ部と、画像形成に関して各部を制御する制御部と、を備え、前記画像処理部は、偽造防止用の所定のマークを前記画像データに重畳する偽造防止部を備え、前記制御部は、前記状態保存部に工程モードの状態を示す情報が保存されている場合に、偽造防止用の所定のマークを前記画像データに重畳するよう前記偽造防止部を制御する。【選択図】      図１
2004347923.tif 000002
【特許請求の範囲】
【請求項１】
画像形成動作可能であるが製造工程内である場合には工程モードの状態を示す情報を保存する状態保存部と、
読み込まれた画像データあるいは外部から供給された画像データを画像形成用に画像処理する画像処理部と、
前記画像処理部で処理された画像データを受けて画像形成を実行するプリンタ部と、
画像形成に関して各部を制御する制御部と、を備え、
前記画像処理部は、偽造防止用の所定のマークを前記画像データに重畳する偽造防止部を備え、
前記制御部は、前記状態保存部に工程モードの状態を示す情報が保存されている場合に、偽造防止用の所定のマークを前記画像データに重畳するよう前記偽造防止部を制御する、
ことを特徴とするカラー画像形成装置。
【請求項２】
出荷後であって画像形成動作可能であるがテストモードである場合には出荷後テストモードの状態を示す情報を保存する状態保存部と、
読み込まれた画像データあるいは外部から供給された画像データを画像形成用に画像処理する画像処理部と、
前記画像処理部で処理された画像データを受けて画像形成を実行するプリンタ部と、
画像形成に関して各部を制御する制御部と、を備え、
前記画像処理部は、偽造防止用の所定のマークを前記画像データに重畳する偽造防止部を備え、
前記制御部は、前記状態保存部に出荷後テストモードの状態を示す情報が保存されている場合に、偽造防止用の所定のマークを前記画像データに重畳するよう前記偽造防止部を制御する、
ことを特徴とするカラー画像形成装置。
【請求項３】
前記プリンタ部が少なくともイエロー，マゼンタ，シアンを含む複数色の色材を用いて画像形成するカラー画像形成装置であって、
前記偽造防止部は、マゼンタもしくはシアンの少なくとも一方の色の所定のマークを前記画像データに重畳する、
ことを特徴とする請求項１または請求項２のいずれかに記載のカラー画像形成装置。
【請求項４】
前記プリンタ部が少なくともイエロー，マゼンタ，シアンを含む複数色の色材を用いて画像形成するカラー画像形成装置であって、
前記偽造防止部は、マゼンタもしくはシアンの少なくとも一方の色に加え、イエローを用いて所定のマークを前記画像データに重畳する、
ことを特徴とする請求項３記載のカラー画像形成装置。
【請求項５】
前記プリンタ部が複数色の色材毎に作像用の感光体を有するカラー画像形成装置であって、
前記制御部は、前記偽造防止部が複数の色を用いて前記所定のマークを前記画像データに重畳する場合、複数の色を順次切り換えて前記所定のマークを生成するように制御する、
ことを特徴とする請求項４記載のカラー画像形成装置。
【請求項６】
前記偽造防止部は、５ｍｍ以上の間隔で所定のマークを前記画像データに重畳する、
ことを特徴とする請求項１乃至請求項５のいずれかに記載のカラー画像形成装置。
【請求項７】
前記偽造防止部は、１５ｍｍ以下の間隔で所定のマークを前記画像データに重畳する、
ことを特徴とする請求項１乃至請求項６のいずれかに記載のカラー画像形成装置。
【請求項８】
前記偽造防止部は、２ｍｍ以下の間隔の２本線を所定のマークとして前記画像データに重畳する、
ことを特徴とする請求項１乃至請求項６のいずれかに記載のカラー画像形成装置。
【請求項９】
前記偽造防止部は、前記所定のマークを副走査方向に並べるようにして前記画像データに重畳する、
ことを特徴とする請求項１乃至請求項８のいずれかに記載のカラー画像形成装置。
【請求項１０】
前記偽造防止部は、前記所定のマークを前記画像データに重畳する際の主走査方向からみた開始位置を変更可能に構成されている、
ことを特徴とする請求項９記載のカラー画像形成装置。
【請求項１１】
前記偽造防止部は、前記所定のマークを主走査方向に並べるようにして前記画像データに重畳する、
ことを特徴とする請求項１乃至請求項８のいずれかに記載のカラー画像形成装置。
【請求項１２】
前記偽造防止部は、前記所定のマークを主走査方向と副走査方向とを組み合わせた方向に並べるように前記画像データに重畳する位置を変更可能に構成されている、
ことを特徴とする請求項１乃至請求項８のいずれかに記載のカラー画像形成装置。
【請求項１３】
テストプリント用のテストパターンに関する画像データを発生するためのテストパターン保持部を備え、
前記制御部は、前記状態保存部に工程モードあるいは出荷後テストモードの状態を示す情報が保存されている場合であっても、テストパターン保持部からのテストパターンに関する画像データを画像形成している場合には、偽造防止用の所定のマークを前記画像データに重畳しないよう前記偽造防止部を制御する、
ことを特徴とする請求項１乃至請求項１２のいずれかに記載のカラー画像形成装置。
【請求項１４】
前記制御部は、設置時の各条件設定が全て揃った時点で、前記状態保存部の前記工程モードの状態を示す情報を出荷モードの状態を示す情報に更新する、
ことを特徴とする請求項１または請求項３乃至請求項１３のいずれかに記載のカラー画像形成装置。
【請求項１５】
各種操作入力がなされる操作部を備え、
前記制御部は、設置時の各条件設定が全て揃った時点で前記操作部から所定のパスワードが入力された場合に、前記状態保存部の前記工程モードの状態を示す情報を出荷モードの状態を示す情報に更新する、
ことを特徴とする請求項１乃至請求項１３のいずれかに記載のカラー画像形成装置。
【発明の詳細な説明】
【０００１】
【発明が属する技術分野】
本発明は偽造防止に配慮されたカラー複写機やカラープリンタなどのカラー画像形成装置に関する。
【０００２】
【従来の技術】
近年のカラー画像形成装置は、解像度や色再現性が優れており、原稿と画像形成出力（プリントアウト）との見分けがつきにくくなってきている。このため、カラー画像形成装置で印紙、切手、紙幣、有価証券などの各種有価物を複写することも技術的には可能なレベルに達している。
【０００３】
そこで、このような高性能なカラー画像形成装置を用いた偽造を防止するための技術について各種の工夫がなされている。
【０００４】
たとえば、以下の特許文献１に記載されているように、有価物に含まれる特徴的なパターン（紙幣であれば印章部分）などを予め記憶しておき、画像データと比較して、有価物であると判断できるときは画像形成を行わないような制御をする。
【０００５】
また、以下の特許文献２に記載されているように、偽造に使用された画像形成装置を特定するために、装置１台毎に異なる追跡マークを記録紙上に形成する工夫が提案されている。
【０００６】
【特許文献１】
特開平６−５４１８６号公報（第１頁〜第５頁、図１）
【特許文献２】
特開２００２−２０２６５０号公報（第３頁、図７）
【０００７】
【発明が解決しようとする課題】
近年、外国の工場で画像形成装置を製造することが行われている。よって、以上のような偽造防止対策が仕向地に合わせた仕様である場合には、現地の有価物などに対しては有効でなくなる場合もありうる。
【０００８】
また、製造段階（以下、「工程内」と呼ぶ）で画像形成装置が動作可能な状態になった時点で、工場内で偽造に用いられた場合、例え追跡マークで追跡が可能であったとしても、製造会社や販売会社の企業責任が問われることになる。また、このような工程内の偽造があれば、企業イメージを大きく損なう可能性もある。
【０００９】
また、装置の出荷後であっても、定期点検、故障時の点検など、顧客以外の者（メンテナンス実行会社のサービスマンなど）が、基板交換や調整や修理の際に、出荷後テストモードとしてカラー画像形成装置１００を操作することがある。このような作業において偽造に用いられた場合、メンテナンス実行会社や製造会社や販売会社の企業責任が問われることになる。また、このような作業時の偽造があれば、企業イメージを大きく損なう可能性もある。
【００１０】
本発明は、上記の課題を解決するためになされたものであって、その目的は、工程内あるいは出荷後テストモードでの偽造防止に配慮されたカラー画像形成装置を実現することにある。
【００１１】
【課題を解決するための手段】
すなわち、課題を解決する手段としての本発明は以下に説明するようなものである。
【００１２】
（１）請求項１記載の発明は、画像形成動作可能であるが製造工程内である場合には工程モードの状態を示す情報を保存する状態保存部と、読み込まれた画像データあるいは外部から供給された画像データを画像形成用に画像処理する画像処理部と、前記画像処理部で処理された画像データを受けて画像形成を実行するプリンタ部と、画像形成に関して各部を制御する制御部と、を備え、前記画像処理部は、偽造防止用の所定のマークを前記画像データに重畳する偽造防止部を備え、前記制御部は、前記状態保存部に工程モードの状態を示す情報が保存されている場合に、偽造防止用の所定のマークを前記画像データに重畳するよう前記偽造防止部を制御する、ことを特徴とするカラー画像形成装置である。
【００１３】
このカラー画像形成装置では、状態保存部に工程モードの状態を示す情報が保存されている場合に、偽造防止用の所定のマークを画像データに重畳するよう、制御部が偽造防止部を制御している。
【００１４】
これにより、製造工程内では画像データと所定のマークとが重畳された状態で画像形成される。また、製造工程を脱した時点で工程モードを示す情報が状態保存部に保存されなくなるので、所定のマークが付されることはなくなる。この結果、工程内の偽造防止に十分配慮された状態となる。従って、工程内で偽造された有価物が利用されることがなくなり、製造者側からみた安全性が向上する。
【００１５】
（２）請求項２記載の発明は、出荷後であって画像形成動作可能であるがテストモードである場合には出荷後テストモードの状態を示す情報を保存する状態保存部と、読み込まれた画像データあるいは外部から供給された画像データを画像形成用に画像処理する画像処理部と、前記画像処理部で処理された画像データを受けて画像形成を実行するプリンタ部と、画像形成に関して各部を制御する制御部と、を備え、前記画像処理部は、偽造防止用の所定のマークを前記画像データに重畳する偽造防止部を備え、前記制御部は、前記状態保存部に出荷後テストモードの状態を示す情報が保存されている場合に、偽造防止用の所定のマークを前記画像データに重畳するよう前記偽造防止部を制御する、ことを特徴とするカラー画像形成装置である。
【００１６】
このカラー画像形成装置の発明では、状態保存部に出荷後テストモードの状態を示す情報が保存されている場合に、偽造防止用の所定のマークを画像データに重畳するよう、制御部が偽造防止部を制御している。
【００１７】
これにより、サービスマンによる調整、修理、基板交換時などの出荷後テストモード動作時は、画像データと所定のマークとが重畳された状態で画像形成される。また、テストモード動作を脱した時点でテストモードを示す情報が状態保存部に保存されなくなるので、所定のマークが付されることはなくなる。この結果、出荷後テストモード動作時の偽造防止に十分配慮された状態となる。従って、出荷後テストモード動作時に偽造された有価物が利用されることがなくなり、製造者側や販売者などからみた安全性が向上する。
【００１８】
（３）請求項３記載の発明は、前記プリンタ部が少なくともイエロー，マゼンタ，シアンを含む複数色の色材を用いて画像形成するカラー画像形成装置であって、前記偽造防止部は、マゼンタもしくはシアンの少なくとも一方の色の所定のマークを前記画像データに重畳する、ことを特徴とする請求項１または請求項２のいずれかに記載のカラー画像形成装置である。
【００１９】
このカラー画像形成装置の発明では、プリンタ部が少なくともイエロー，マゼンタ，シアンを含む複数色の色材を用いて画像形成する場合に、偽造防止部が、マゼンタもしくはシアンの少なくとも一方の色の所定のマークを画像データに重畳するようにしている。
【００２０】
このように、マゼンタもしくはシアンの少なくとも一方の色で所定のマークを生成することで、マークの視認性を高め、偽造防止効果を高めることができる。さらに、プリンタ部でマーク生成に使用するマゼンタもしくはシアンを使用しないで画像形成しようとすると、画像の全体の色味が変化してしまうので、さらに、偽造防止効果を高めることができる。
【００２１】
（４）請求項４記載の発明は、前記プリンタ部が少なくともイエロー，マゼンタ，シアンを含む複数色の色材を用いて画像形成するカラー画像形成装置であって、前記偽造防止部は、マゼンタもしくはシアンの少なくとも一方の色に加え、イエローを用いて所定のマークを前記画像データに重畳する、ことを特徴とする請求項３記載のカラー画像形成装置である。
【００２２】
このカラー画像形成装置の発明では、プリンタ部が少なくともイエロー，マゼンタ，シアンを含む複数色の色材を用いて画像形成する場合に、偽造防止部が、マゼンタもしくはシアンの少なくとも一方の色にイエローを加えて、所定のマークを画像データに重畳するようにしている。
【００２３】
このように、マゼンタもしくはシアンの少なくとも一方の色とイエローとで所定のマークを生成することで、マークの視認性を高め、偽造防止効果を高めることができる。さらに、プリンタ部でマーク生成に使用するマゼンタもしくはシアンを使用しないで画像形成しようとすると、画像の全体の色味が変化してしまうので、さらに、偽造防止効果を高めることができる。また、イエローによって追跡マークを形成することで、追跡機能を有効にすることもでき、偽造防止効果をより一層高めることができる。
【００２４】
（５）請求項５記載の発明は、前記プリンタ部が複数色の色材毎に作像用の感光体を有するカラー画像形成装置であって、前記制御部は、前記偽造防止部が複数の色を用いて前記所定のマークを前記画像データに重畳する場合、複数の色を順次切り換えて前記所定のマークを生成するように制御する、ことを特徴とする請求項４記載のカラー画像形成装置である。
【００２５】
このカラー画像形成装置の発明では、プリンタ部が少なくともイエロー，マゼンタ，シアンを含む複数色の色材を用いて画像形成する場合に、偽造防止部が、マゼンタもしくはシアンの少なくとも一方の色にイエローを加えて、すなわち、複数の色の色材を用いて所定のマークを画像データに重畳する際に、複数の色を順次切り換えて所定のマークを生成するようにしている。
【００２６】
このように、マゼンタもしくはシアンの少なくとも一方の色とイエローとで所定のマークを生成することで、マークの視認性を高め、偽造防止効果を高めることができる。さらに、プリンタ部でマーク生成に使用するマゼンタもしくはシアンを使用しないで画像形成しようとすると、画像の全体の色味が変化してしまうので、さらに、偽造防止効果を高めることができる。また、イエローによって追跡マークを形成することで、追跡機能を有効にすることもでき、偽造防止効果をより一層高めることができる。そして、複数の色を順次切り換えて所定のマークを生成することで、感光体ドラムやその周辺の作像系の負荷を和らげることができ、消耗や疲労を抑えることができる。
【００２７】
（６）請求項６記載の発明は、前記偽造防止部は、５ｍｍ以上の間隔で所定のマークを前記画像データに重畳する、ことを特徴とする請求項１乃至請求項５のいずれかに記載のカラー画像形成装置である。
【００２８】
このカラー画像形成装置の発明では、製造工程内あるいは出荷後テストモード動作時では画像データと所定のマークとが重畳された状態で画像形成するようにしており、この際に、偽造防止部は５ｍｍ以上の間隔で所定のマークを画像データに重畳するようにしている。
【００２９】
このように、５ｍｍ以上の間隔で所定のマークを生成することで、画質評価に用いるパッチなどの形成および読み取りに影響を与えなくすることができ、偽造防止効果と調整作業との両立を図ることが可能になる。
【００３０】
（７）請求項７記載の発明は、前記偽造防止部は、１５ｍｍ以下の間隔で所定のマークを前記画像データに重畳する、ことを特徴とする請求項１乃至請求項６のいずれかに記載のカラー画像形成装置である。
【００３１】
このカラー画像形成装置の発明では、製造工程内あるいは出荷後テストモード動作時では画像データと所定のマークとが重畳された状態で画像形成するようにしており、この際に、偽造防止部は１５ｍｍ以下の間隔で所定のマークを画像データに重畳するようにしている。
【００３２】
このように、１５ｍｍ以下の間隔で所定のマークを生成することで、所定のマークを避けるようにした切り貼りによる偽造を行い難くし、工程内での偽造防止効果を高めることが可能になる。
【００３３】
さらに、５ｍｍ以上・１５ｍｍ以下の間隔で所定のマークを生成することで、画質評価に用いるパッチなどの形成および読み取りに影響を与えなくすることができ、かつ、所定のマークを避けるようにした切り貼りによる偽造を行い難くし、偽造防止効果と調整作業との両立を図ることが可能になる。
【００３４】
（８）請求項８記載の発明は、前記偽造防止部は、２ｍｍ以下の間隔の２本線を所定のマークとして前記画像データに重畳する、ことを特徴とする請求項１乃至請求項６のいずれかに記載のカラー画像形成装置である。
【００３５】
このカラー画像形成装置の発明では、製造工程内あるいは出荷後テストモード動作時では画像データと所定のマークとが重畳された状態で画像形成するようにしており、この際に、偽造防止部は２ｍｍ以下の間隔の２本線を所定のマークとして画像データに重畳するようにしている。
【００３６】
このように、２ｍｍ以下の間隔の２本線による所定のマークを生成することで、所定のマークの視認性を高めて偽造防止効果を高め、所定のマークを避けるようにした切り貼りによる偽造を行い難くし、工程内での偽造防止効果を高めることが可能になる。
【００３７】
なお、以上の２本線の所定のマークを５ｍｍ以上の間隔で生成することで、画質評価に用いるパッチなどの形成および読み取りに影響を与えなくすることができ、偽造防止効果と調整作業との両立を図ることが可能になる。
【００３８】
また、以上の２本線の所定のマークを１５ｍｍ以下の間隔で生成することで、所定のマークを避けるようにした切り貼りによる偽造を行い難くし、工程内での偽造防止効果を高めることが可能になる。
【００３９】
さらに、以上の２本線の所定のマークを５ｍｍ以上・１５ｍｍ以下の間隔で生成することで、画質評価に用いるパッチなどの形成および読み取りに影響を与えなくすることができ、かつ、所定のマークを避けるようにした切り貼りによる偽造を行い難くし、偽造防止効果と調整作業との両立を図ることが可能になる。
【００４０】
（９）請求項９記載の発明は、前記偽造防止部は、前記所定のマークを副走査方向に並べる、ことを特徴とする請求項１乃至請求項８のいずれかに記載のカラー画像形成装置である。
【００４１】
このカラー画像形成装置の発明では、製造工程内あるいは出荷後テストモード動作時では画像データと所定のマークとが重畳された状態で画像形成するようにしており、偽造防止部は、所定のマークを副走査方向に並べるようにして画像データに重畳する。
【００４２】
このように、副走査方向に並べた所定のマークを生成することで、画質評価に用いるパッチなどは主走査方向の同じ位置に形成することで、該パッチの形成および読み取りに影響を与えなくすることができ、偽造防止効果と調整作業との両立を図ることが可能になる。
【００４３】
なお、以上の副走査方向に並べた所定のマークを主走査方向５ｍｍ以上の間隔で生成することで、画質評価に用いるパッチなどの形成および読み取りに影響を与えなくすることができ、偽造防止効果と調整作業との両立を図ることが可能になる。また、以上の副走査方向に並べた所定のマークを主走査方向１５ｍｍ以下の間隔で生成することで、所定のマークを避けるようにした切り貼りによる偽造を行い難くし、工程内での偽造防止効果を高めることが可能になる。さらに、以上の副走査方向に並べた所定のマークを主走査方向５ｍｍ以上・１５ｍｍ以下の間隔で生成することで、画質評価に用いるパッチなどの形成および読み取りに影響を与えなくすることができ、かつ、所定のマークを避けるようにした切り貼りによる偽造を行い難くし、偽造防止効果と調整作業との両立を図ることが可能になる。
【００４４】
（１０）請求項１０記載の発明は、前記偽造防止部は、前記所定のマークを前記画像データに重畳する際の主走査方向からみた開始位置を変更可能に構成されている、ことを特徴とする請求項９記載のカラー画像形成装置である。
【００４５】
このカラー画像形成装置の発明では、製造工程内あるいは出荷後テストモード動作時に画像データと所定のマークとが重畳された状態で画像形成し、偽造防止部は、所定のマークを副走査方向に並べるようにして画像データに重畳しており、この副走査方向に並べた所定のマークの主走査方向からみた開始位置を変更可能に構成されている。
【００４６】
このように、副走査方向に並べた所定のマークについて、主走査方向からみた開始位置を変更可能にしていることで、画質評価に用いるパッチなどとの重なりを防ぐことができ、該パッチの形成および読み取りに影響を与えなくすることができ、偽造防止効果と調整作業との両立を図ることが可能になる。また、主走査方向からみた開始位置を変更することで、感光体ドラムなどの作像系の同じ場所が消耗・疲労することを防止することができる。
【００４７】
（１１）請求項１１記載の発明は、前記偽造防止部は、前記所定のマークを主走査方向に並べるようにして前記画像データに重畳する、ことを特徴とする請求項１乃至請求項８のいずれかに記載のカラー画像形成装置である。
【００４８】
このカラー画像形成装置の発明では、製造工程内あるいは出荷後テストモード動作時では画像データと所定のマークとが重畳された状態で画像形成するようにしており、偽造防止部は、所定のマークを主走査方向に並べるようにして画像データに重畳する。
【００４９】
このように、主走査方向に並べた所定のマークを生成することで、感光体ドラムなどの作像系の同じ場所が消耗・疲労することを防止することができる。
【００５０】
なお、以上の主走査方向に並べた所定のマークを副走査方向５ｍｍ以上の間隔で生成することで、画質評価に用いるパッチなどの形成および読み取りに影響を与えなくすることができ、偽造防止効果と調整作業との両立を図ることが可能になる。また、以上の主走査方向に並べた所定のマークを副走査方向１５ｍｍ以下の間隔で生成することで、所定のマークを避けるようにした切り貼りによる偽造を行い難くし、工程内での偽造防止効果を高めることが可能になる。さらに、以上の主走査方向に並べた所定のマークを副走査方向５ｍｍ以上・１５ｍｍ以下の間隔で生成することで、画質評価に用いるパッチなどの形成および読み取りに影響を与えなくすることができ、かつ、所定のマークを避けるようにした切り貼りによる偽造を行い難くし、偽造防止効果と調整作業との両立を図ることが可能になる。
【００５１】
（１２）請求項１２記載の発明は、前記偽造防止部は、前記所定のマークを主走査方向と副走査方向とを組み合わせた方向に並べるように前記画像データに重畳する位置を変更可能に構成されている、ことを特徴とする請求項１乃至請求項８のいずれかに記載のカラー画像形成装置である。
【００５２】
このカラー画像形成装置の発明では、製造工程内あるいは出荷後テストモード動作時では画像データと所定のマークとが重畳された状態で画像形成するようにしており、偽造防止部は、所定のマークを主走査方向と副走査方向とが組み合わされた方向（斜め方向）に並べるようにして画像データに重畳する。
【００５３】
このように、斜め方向に並べた所定のマークを生成することで、感光体ドラムなどの作像系の同じ場所が消耗・疲労することを防止することができる。
【００５４】
なお、以上の主走査方向に並べた所定のマークを副走査方向５ｍｍ以上の間隔で生成することで、画質評価に用いるパッチなどの形成および読み取りに影響を与えなくすることができ、偽造防止効果と調整作業との両立を図ることが可能になる。また、以上の主走査方向に並べた所定のマークを副走査方向１５ｍｍ以下の間隔で生成することで、所定のマークを避けるようにした切り貼りによる偽造を行い難くし、工程内での偽造防止効果を高めることが可能になる。さらに、以上の主走査方向に並べた所定のマークを副走査方向５ｍｍ以上・１５ｍｍ以下の間隔で生成することで、画質評価に用いるパッチなどの形成および読み取りに影響を与えなくすることができ、かつ、所定のマークを避けるようにした切り貼りによる偽造を行い難くし、偽造防止効果と調整作業との両立を図ることが可能になる。
【００５５】
（１３）請求項１３記載の発明は、テストプリント用のテストパターンに関する画像データを発生するためのテストパターン保持部を備え、前記制御部は、前記状態保存部に工程モードあるいは出荷後テストモードの状態を示す情報が保存されている場合であっても、テストパターン保持部からのテストパターンに関する画像データを画像形成している場合には、偽造防止用の所定のマークを前記画像データに重畳しないよう前記偽造防止部を制御する、ことを特徴とする請求項１乃至請求項１２のいずれかに記載のカラー画像形成装置である。
【００５６】
このカラー画像形成装置の発明では、制御部は、状態保存部に工程モードあるいは出荷後テストモードの状態を示す情報が保存されている場合であっても、テストパターン保持部からのテストパターンに関する画像データを画像形成している場合には、偽造の問題は生じないため、偽造防止用の所定のマークを画像データに重畳しないよう偽造防止部を制御する。
【００５７】
このように、テストパターン保持部からの内部のテストパターンを画像形成している場合には、偽造防止用の所定のマークを画像データに重畳しないようにすることで、テストパターンを用いた調整動作に悪影響を与えることがなくなる。
【００５８】
（１４）請求項１４記載の発明は、前記制御部は、設置時の各条件設定が全て揃った時点で、前記状態保存部の前記工程モードの状態を示す情報を出荷モードの状態を示す情報に更新する、ことを特徴とする請求項１または請求項３乃至請求項１３のいずれかに記載のカラー画像形成装置である。
【００５９】
このカラー画像形成装置の発明では、制御部は、設置時の各条件設定が全て揃った時点で、自動的に状態保存部の工程モードの状態を示す情報を出荷モードの状態を示す情報に更新するようにしている。このようにすることで、工程モードを解除するための特別の手続きは必要なく、設置作業を確実に完了することができる。
【００６０】
（１５）請求項１５記載の発明は、各種操作入力がなされる操作部を備え、前記制御部は、設置時の各条件設定が全て揃った時点で前記操作部から所定のパスワードが入力された場合に、前記状態保存部の前記工程モードの状態を示す情報を出荷モードの状態を示す情報に更新する、ことを特徴とする請求項１乃至請求項１３のいずれかに記載のカラー画像形成装置である。
【００６１】
このカラー画像形成装置の発明では、制御部は、設置時の各条件設定が全て揃った時点で所定のパスワードの入力があった場合に、状態保存部の工程モードの状態を示す情報を出荷モードの状態を示す情報に更新するようにしている。このようにすることで、工程内での偽造の心配のない確実な状態で工程モードを解除することが可能になる。
【００６２】
【発明の実施の形態】
以下、図面を参照して本発明の実施の形態例を詳細に説明する。図１は本発明の実施の形態例のカラー画像形成装置１００の電気的な主要部分の構成図である。ここでは、カラー画像形成装置１００として、画像読み取りのためのスキャナ部と、プリンタ部とを備えた複写機、あるいは、複写機とファクシミリ装置とを兼ねた複合機を具体例にする。
【００６３】
この図１において、１０１はカラー画像形成装置１００の各部を制御する全体制御部であり、本実施の形態例においては、通常の画像形成の制御のほかに、工程モード時あるいは出荷後テストモード時である場合に偽造防止用の所定のマークを画像データに重畳するための制御を行う。
【００６４】
１１０はユーザからの各種入力の操作がなされると共に、装置の状態を表示する表示パネルを備えた操作部である。
【００６５】
１２０は原稿の画像を読み込んで画像データを生成するためのスキャナなどの画像読み取り手段で構成されたスキャナ部である。
【００６６】
１３０はプリンタ部１７０の工程モードの状態を示す情報としての工程モード情報、あるいは、出荷後テストモードの状態の情報を示す出荷後テストモード情報のいずれかのモード情報が記憶される状態保存部である。
【００６７】
１４０は出荷後テストモード時に出力すべきテストパターンのデータが格納されているテストパターン保持部である。
【００６８】
１５０は外部機器からの画像データを受ける通信部であり、スキャナ部１２０で読み取られて生成された画像データと同様な画像データを通信部１５０を介して外部機器から受け取る。
【００６９】
１６０は通信部１５０を介した図示されない外部機器あるいはスキャナ部１２０などからの画像データを受けて必要な画像処理を施す画像処理部である。この画像処理部は画像形成に必要な通常の画像処理の他に、本発明の実施の形態例の特徴部分である偽造防止の処理を実行する。
【００７０】
ここで、画像処理部１６０は、偽造防止用の所定のマークを画像データに重畳する偽造防止部１６１（１６１Ｃ、１６１Ｍ、１６１Ｙ）を備えている。このカラー画像形成装置１００では、プリンタ部が少なくともイエロー，マゼンタ，シアンを含む複数色の色材を用いて画像形成する場合に、全体制御部１０１の制御により、工程モードあるいは出荷後テストモードにおいて、偽造防止部１６１が、マゼンタもしくはシアン、またはマゼンタもしくはシアンの少なくとも一方の色にイエローを加えて、所定のマークを画像データに重畳するようにしている。
【００７１】
また、偽造防止部１６１Ｃ〜１６１Ｙのそれぞれには、マーク生成用デバイス１６２Ｃ〜１６２Ｙが内蔵されており、偽造防止のための所定のマークを画像データに重畳するようにしている。
【００７２】
１７０は少なくともイエロー，マゼンタ，シアンを含む複数色（ここでは、最大で、イエロー，マゼンタ，シアン，ブラックの４色）の色材を用いて画像形成するプリンタ部であり、各色毎に画像形成を行う感光体（像担持体）としてのドラム１７１Ｃ〜１７１Ｙ（あるいは、ドラム１７１Ｃ〜１７１Ｋ）を有しており、前述した全体制御部１０１からのプロセス制御を受けつつ画像形成を実行する。
【００７３】
なお、このプリンタ部１７０は、画像データに基づいて生成したトナー像を像担持体であるドラムと転写ローラとで記録紙を挟持することにより像担持体から記録紙に転写することにより画像形成するものである。
【００７４】
なお、本実施の形態例では、全体制御部１０１は、主に、以下の（１）〜（１５）のような制御を行う。
【００７５】
（１）全体制御部１０１は、状態保存部１３０に工程モードの状態を示す情報が保存されている場合に、偽造防止用の所定のマークを画像データに重畳するよう制御する。
【００７６】
（２）全体制御部１０１は、状態保存部１３０に出荷後テストモードの状態を示す情報が保存されている場合に、偽造防止用の所定のマークを画像データに重畳するよう制御する。
【００７７】
（３）少なくともイエロー，マゼンタ，シアンを含む複数色の色材を用いて画像形成する場合に、全体制御部１０１は、マゼンタもしくはシアンの少なくとも一方の色の所定のマークを画像データに重畳するように制御する。
【００７８】
（４）少なくともイエロー，マゼンタ，シアンを含む複数色の色材を用いて画像形成する場合に、全体制御部１０１は、マゼンタもしくはシアンの少なくとも一方の色にイエローを加えて、所定のマークを画像データに重畳するように制御する。
【００７９】
（５）少なくともイエロー，マゼンタ，シアンを含む複数色の色材を用いて画像形成する場合に、偽造防止部が、マゼンタもしくはシアンの少なくとも一方の色にイエローを加えて、すなわち、複数の色の色材を用いて所定のマークを画像データに重畳する際に、複数の色を順次切り換えて所定のマークを生成するように制御する。
【００８０】
（６）全体制御部１０１は、製造工程内あるいは出荷後テストモード動作時では画像データと所定のマークとが重畳された状態で画像形成するように制御しており、この際に５ｍｍ以上の間隔で所定のマークを画像データに重畳するように制御する。
【００８１】
（７）全体制御部１０１は、製造工程内あるいは出荷後テストモード動作時では画像データと所定のマークとが重畳された状態で画像形成するようにしており、この際に１５ｍｍ以下の間隔で所定のマークを画像データに重畳するように制御する。
【００８２】
（８）全体制御部１０１は、製造工程内あるいは出荷後テストモード動作時では画像データと所定のマークとが重畳された状態で画像形成するようにしており、この際に２ｍｍ以下の間隔の２本線を所定のマークとして画像データに重畳するように制御する。
【００８３】
（９）全体制御部１０１は、製造工程内あるいは出荷後テストモード動作時では画像データと所定のマークとが重畳された状態で画像形成するようにしており、、所定のマークを副走査方向に並べるようにして画像データに重畳するよう制御する。
【００８４】
（１０）全体制御部１０１は、製造工程内あるいは出荷後テストモード動作時に画像データと所定のマークとが重畳された状態で画像形成し、所定のマークを副走査方向に並べるようにして画像データに重畳しており、この副走査方向に並べた所定のマークの主走査方向からみた開始位置を変更可能に構成されている。
【００８５】
（１１）全体制御部１０１は、製造工程内あるいは出荷後テストモード動作時では画像データと所定のマークとが重畳された状態で画像形成するようにしており、所定のマークを主走査方向に並べるようにして画像データに重畳するよう制御する。
【００８６】
（１２）全体制御部１０１は、製造工程内あるいは出荷後テストモード動作時では画像データと所定のマークとが重畳された状態で画像形成するようにしており、所定のマークを主走査方向と副走査方向とが組み合わされた方向（斜め方向）に並べるようにして画像データに重畳するよう制御する。
【００８７】
（１３）全体制御部１０１は、状態保存部に工程モードあるいは出荷後テストモードの状態を示す情報が保存されている場合であっても、テストパターン保持部１４０からのテストパターンに関する画像データを画像形成している場合には、偽造防止用の所定のマークを画像データに重畳しないよう制御する。
【００８８】
（１４）全体制御部１０１は、設置時の各条件設定が全て揃った時点で、状態保存部の「工程モード」の状態を示す情報を「出荷モード」の状態を示す情報に更新するよう制御する。
【００８９】
（１５）全体制御部１０１は、設置時の各条件設定が全て揃った時点で操作部から所定のパスワードが入力された場合に、状態保存部の「工程モード」の状態を示す情報を「出荷モード」の状態を示す情報に更新するよう制御する。
【００９０】
なお、この実施の形態例では、全体制御部１０１が上述した各動作モードにおける各制御を統括的に行うものとしているが、専用の制御手段を個別に設けるようにしてもよい。
【００９１】
〈第一の実施の形態例〉
以下、第一の実施の形態例の動作説明を行う。図１に示すカラー画像形成装置１００を製造する工程（製造工程）では、各種部品や基板が取り付けられて画像形成が可能な状態になると、全体制御部１０１は状態保存部１３０に「工程モード」であることを示す情報を保存する。
【００９２】
スキャナ部１２０で読み込まれたカラー原稿の画像データは、操作部１１０で設定された処理内容に従って画像処理部１６０で処理される。また、通信部１５０を介して外部から与えられた画像データも、操作部１１０で設定された処理内容に従って画像処理部１６０で処理される。
【００９３】
この際、すくなくとも、イエロー，マゼンタ，シアンの各色の画像データについては、画像処理部１６０内の偽造防止部１６１Ｃ，１６１Ｍ，１６１Ｙを通過してから、プリンタ部１７０で画像データに応じた露光がなされる。
【００９４】
ここで、状態保存部１３０に工程モードであることを示す情報が保存されている場合、全体制御部１０１は、偽造防止部１６１Ｃ，１６１Ｍ，１６１Ｙに指示を与え、読み込み画像（図２（ａ））の画像データに対して、図２（ｂ）〜図２（ｈ）のいずれかに示すように、所定のマーク（偽造防止用パターン）を重畳した状態にする。
【００９５】
すなわち、このカラー画像形成装置では、状態保存部１３０に工程モードの状態を示す情報が保存されている場合に、偽造防止用の所定のマークを画像データに重畳するよう、全体制御部１０１が偽造防止部１６１を制御している。
【００９６】
これにより、製造工程内では画像データと所定のマークとが重畳された状態で画像形成される。また、製造工程を脱した時点で工程モードを示す情報が状態保存部１３０に保存されなくなるので、所定のマークが付されることはなくなる。この結果、工程内の偽造防止に十分配慮された状態となる。従って、工程内で偽造された有価物が利用されることがなくなり、製造者側からみた安全性が向上する。
【００９７】
なお、偽造防止用の所定のマークとは、図２（ｂ）〜図２（ｈ）に示すように、画像データに重畳すべき縦線（１本実線、１本破線、２本実線、２本破線）、斜め線（１本実線、１本破線、２本実線、２本破線）、横線（１本実線、１本破線、２本実線、２本破線）、縦線と横線あるいは向きの異なる斜め線の組み合わせ、多数の丸印、など各種の態様が考えられる。
【００９８】
また、このカラー画像形成装置の実施の形態例では、プリンタ部１７０が少なくともイエロー，マゼンタ，シアンを含む複数色の色材を用いて画像形成する場合に、偽造防止部１６１が、マゼンタもしくはシアンの少なくとも一方の色の所定のマークを画像データに重畳するように、全体制御部１０１が制御している。
【００９９】
このように、マゼンタもしくはシアンの少なくとも一方の色で所定のマークを生成することで、マークの視認性を高め、偽造防止効果を高めることができる。さらに、プリンタ部１７０でマーク生成に使用するマゼンタもしくはシアンを使用しないで画像形成しようとすると、画像の全体の色味が変化してしまうので、さらに、偽造防止効果を高めることができる。
【０１００】
また、このカラー画像形成装置の実施の形態例では、プリンタ部１７０が少なくともイエロー，マゼンタ，シアンを含む複数色の色材を用いて画像形成する場合に、偽造防止部１６１が、マゼンタもしくはシアンの少なくとも一方の色にイエローを加えて、所定のマークを画像データに重畳するように、全体制御部１０１が制御している。
【０１０１】
このように、マゼンタもしくはシアンの少なくとも一方の色とイエローとで所定のマークを生成することで、マークの視認性を高め、偽造防止効果を高めることができる。さらに、プリンタ部１７０でマーク生成に使用するマゼンタもしくはシアンを使用しないで画像形成しようとすると、画像の全体の色味が変化してしまうので、さらに、偽造防止効果を高めることができる。また、イエローによって追跡マークを形成することで、追跡機能を有効にすることもでき、偽造防止効果をより一層高めることができる。
【０１０２】
また、このカラー画像形成装置の実施の形態例では、プリンタ部１７０が少なくともイエロー，マゼンタ，シアンを含む複数色の色材を用いて画像形成する場合に、偽造防止部１６１が、マゼンタもしくはシアンの少なくとも一方の色にイエローを加えて、すなわち、複数の色の色材を用いて所定のマークを画像データに重畳する際に、複数の色を順次切り換えて所定のマークを生成するようにしている。
【０１０３】
このように、マゼンタもしくはシアンの少なくとも一方の色とイエローとで所定のマークを生成することで、マークの視認性を高め、偽造防止効果を高めることができる。さらに、プリンタ部１７０でマーク生成に使用するマゼンタもしくはシアンを使用しないで画像形成しようとすると、画像の全体の色味が変化してしまうので、さらに、偽造防止効果を高めることができる。また、イエローによって追跡マークを形成することで、追跡機能を有効にすることもでき、偽造防止効果をより一層高めることができる。そして、複数の色を順次切り換えて所定のマークを生成することで、感光体ドラムやその周辺の作像系の負荷を和らげることができ、消耗や疲労を抑えることができる。
【０１０４】
この場合、１頁の画像内で１つのマーク単位に色を変えるようにしてもよいし、複数頁の画像の場合には頁毎に色を変えるようにしてもよい。たとえば、複数頁の原稿の場合は、奇数頁はマゼンタもしくはマゼンタとイエロー、偶数頁はシアンもしくはシアンとイエロー、というように切り換えてもよい。
【０１０５】
なお、ブラックもイエロー，マゼンタ，シアンの組み合わせで発色可能であるため、ブラック単色で偽造防止の所定のマークを形成するより、他の色で偽造防止の所定のマークを形成しておいた方が、偽造防止効果が高まる。
【０１０６】
また、このカラー画像形成装置の実施の形態例では、製造工程内では画像データと所定のマークとが重畳された状態で画像形成するようにしており、この際に、偽造防止部１６１は５ｍｍ以上の間隔で所定のマークを画像データに重畳するように、全体制御部１０１が制御している。
【０１０７】
このように、５ｍｍ以上の間隔で所定のマークを生成することで、画質評価に用いるパッチ（４ｍｍ程度）などの形成および読み取りに影響を与えなくすることができ、偽造防止効果と調整作業との両立を図ることが可能になる。
【０１０８】
また、このカラー画像形成装置の実施の形態例では、製造工程内では画像データと所定のマークとが重畳された状態で画像形成するようにしており、この際に、偽造防止部１６１は１５ｍｍ以下の間隔で所定のマークを画像データに重畳するように、全体制御部１０１が制御している。
【０１０９】
このように、１５ｍｍ以下の間隔で所定のマークを生成することで、所定のマークを避けるようにした切り貼りによる偽造を行い難くし、工程内での偽造防止効果を高めることが可能になる。さらに、この場合、切手や印紙などの１５ｍｍ未満の大きさの有価物の偽造を防止できる。
【０１１０】
さらに、５ｍｍ以上・１５ｍｍ以下の間隔で所定のマークを生成することで、画質評価に用いるパッチなどの形成および読み取りに影響を与えなくすることができ、かつ、所定のマークを避けるようにした切り貼りによる偽造を行い難くし、偽造防止効果と調整作業との両立を図ることが可能になる。
【０１１１】
また、このカラー画像形成装置の実施の形態例では、製造工程内では画像データと所定のマークとが重畳された状態で画像形成するようにしており、この際に、偽造防止部１６１は２ｍｍ以下の間隔の２本線を所定のマークとして画像データに重畳するように、全体制御部１０１が制御している。
【０１１２】
このように、２ｍｍ以下の間隔の２本線による所定のマークを生成することで、所定のマークの視認性を高めて偽造防止効果を高め、所定のマークを避けるようにした切り貼りによる偽造を行い難くし、工程内での偽造防止効果を高めることが可能になる。
【０１１３】
なお、以上の２本線の所定のマークを５ｍｍ以上の間隔で生成することで、画質評価に用いるパッチなどの形成および読み取りに影響を与えなくすることができ、偽造防止効果と調整作業との両立を図ることが可能になる。
【０１１４】
また、以上の２本線の所定のマークを１５ｍｍ以下の間隔で生成することで、所定のマークを避けるようにした切り貼りによる偽造を行い難くし、工程内での偽造防止効果を高めることが可能になる。
【０１１５】
さらに、以上の２本線の所定のマークを５ｍｍ以上・１５ｍｍ以下の間隔で生成することで、画質評価に用いるパッチなどの形成および読み取りに影響を与えなくすることができ、かつ、所定のマークを避けるようにした切り貼りによる偽造を行い難くし、偽造防止効果と調整作業との両立を図ることが可能になる。
【０１１６】
また、このカラー画像形成装置の実施の形態例では、製造工程内では画像データと所定のマークとが重畳された状態で画像形成するようにしており、偽造防止部１６１は、所定のマークを副走査方向に並べるようにして画像データに重畳する。
【０１１７】
このように、副走査方向に並べた所定のマークを生成することで、画質評価に用いるパッチなどは主走査方向の同じ位置に形成することで、該パッチの形成および読み取りに影響を与えなくすることができ、偽造防止効果と調整作業との両立を図ることが可能になる。
【０１１８】
なお、以上の副走査方向に並べた所定のマークを主走査方向５ｍｍ以上の間隔で生成することで、画質評価に用いるパッチなどの形成および読み取りに影響を与えなくすることができ、偽造防止効果と調整作業との両立を図ることが可能になる。また、以上の副走査方向に並べた所定のマークを主走査方向１５ｍｍ以下の間隔で生成することで、所定のマークを避けるようにした切り貼りによる偽造を行い難くし、工程内での偽造防止効果を高めることが可能になる。さらに、以上の副走査方向に並べた所定のマークを主走査方向５ｍｍ以上・１５ｍｍ以下の間隔で生成することで、画質評価に用いるパッチなどの形成および読み取りに影響を与えなくすることができ、かつ、所定のマークを避けるようにした切り貼りによる偽造を行い難くし、偽造防止効果と調整作業との両立を図ることが可能になる。
【０１１９】
また、このカラー画像形成装置の実施の形態例では、製造工程内に画像データと所定のマークとが重畳された状態で画像形成し、偽造防止部１６１は、所定のマークを副走査方向に並べるようにして画像データに重畳しており（ここでは、図３のように、縦方向実線）、この副走査方向に並べた所定のマークの主走査方向からみた開始位置を変更可能に構成されている（図３，ｓｔａｒｔ１、ｓｔａｒｔ２参照）。
【０１２０】
このように、副走査方向に並べた所定のマークについて、主走査方向からみた開始位置を変更可能にしていることで、画質評価に用いるパッチなどとの重なりを防ぐことができ、該パッチの形成および読み取りに影響を与えなくすることができ、偽造防止効果と調整作業との両立を図ることが可能になる。また、主走査方向からみた開始位置を変更することで、感光体ドラムなどの作像系の同じ場所が消耗・疲労することを防止することができる。
【０１２１】
また、このカラー画像形成装置の実施の形態例では、製造工程内では画像データと所定のマークとが重畳された状態で画像形成するようにしており、偽造防止部１６１は、所定のマークを主走査方向に並べるようにして画像データに重畳する。
【０１２２】
このように、主走査方向に並べた所定のマークを生成することで、感光体ドラムなどの作像系の同じ場所が消耗・疲労することを防止することができる。
【０１２３】
なお、以上の主走査方向に並べた所定のマークを副走査方向５ｍｍ以上の間隔で生成することで、画質評価に用いるパッチなどの形成および読み取りに影響を与えなくすることができ、偽造防止効果と調整作業との両立を図ることが可能になる。また、以上の主走査方向に並べた所定のマークを副走査方向１５ｍｍ以下の間隔で生成することで、所定のマークを避けるようにした切り貼りによる偽造を行い難くし、工程内での偽造防止効果を高めることが可能になる。さらに、以上の主走査方向に並べた所定のマークを副走査方向５ｍｍ以上・１５ｍｍ以下の間隔で生成することで、画質評価に用いるパッチなどの形成および読み取りに影響を与えなくすることができ、かつ、所定のマークを避けるようにした切り貼りによる偽造を行い難くし、偽造防止効果と調整作業との両立を図ることが可能になる。
【０１２４】
また、このカラー画像形成装置の実施の形態例では、製造工程内では画像データと所定のマークとが重畳された状態で画像形成するようにしており、偽造防止部１６１は、所定のマークを主走査方向と副走査方向とが組み合わされた方向（斜め方向）に並べるようにして画像データに重畳する。
【０１２５】
このように、斜め方向に並べた所定のマークを生成することで、感光体ドラムなどの作像系の同じ場所が消耗・疲労することを防止することができる。
【０１２６】
なお、以上の主走査方向に並べた所定のマークを副走査方向５ｍｍ以上の間隔で生成することで、画質評価に用いるパッチなどの形成および読み取りに影響を与えなくすることができ、偽造防止効果と調整作業との両立を図ることが可能になる。また、以上の主走査方向に並べた所定のマークを副走査方向１５ｍｍ以下の間隔で生成することで、所定のマークを避けるようにした切り貼りによる偽造を行い難くし、工程内での偽造防止効果を高めることが可能になる。さらに、以上の主走査方向に並べた所定のマークを副走査方向５ｍｍ以上・１５ｍｍ以下の間隔で生成することで、画質評価に用いるパッチなどの形成および読み取りに影響を与えなくすることができ、かつ、所定のマークを避けるようにした切り貼りによる偽造を行い難くし、偽造防止効果と調整作業との両立を図ることが可能になる。
【０１２７】
〈第二の実施の形態例〉
また、このカラー画像形成装置の第二の実施の形態例では、全体制御部１０１は、状態保存部１３０に工程モードの状態を示す情報が保存されている場合であっても、テストパターン保持部１４０からのテストパターンに関する画像データを画像形成している場合には、あくまでもテストパターンの出力であり、偽造の問題は生じないため、偽造防止用の所定のマークを画像データに重畳しないよう偽造防止部１６１を制御する。
【０１２８】
このように、テストパターン保持部１４０からの内部のテストパターンを画像形成している場合には、偽造防止用の所定のマークを画像データに重畳しないようにすることで、テストパターンを用いた調整動作に悪影響を与えることがなくなる。
【０１２９】
なお、以上の第一の実施の形態例および第二の実施の形態例における動作について、全体制御部１０１は図４の問題分析図に従って、各部を制御する。すなわち、全体制御部１０１は、状態保存部１３０に工程モードの状態を示す情報が保存されていない場合、通常の動作時の画像形成であるので、偽造防止用の所定のマークを画像データに重畳しない。また、全体制御部１０１は、状態保存部１３０に工程モードの状態を示す情報が保存されている場合は、テストパターンを画像形成していれば偽造防止用の所定のマークを画像データに重畳しないが、テストパターン以外を画像形成している場合には偽造防止用の所定のマークを画像データに重畳する。
【０１３０】
〈第三の実施の形態例〉
また、このカラー画像形成装置の第三の実施の形態例では、全体制御部１０１は、設置時の各条件設定が全て揃った時点で、自動的に状態保存部１３０の「工程モード」の状態を示す情報を「出荷モード」の状態を示す情報に更新するようにしている。このようにすることで、工程モードを解除するための特別の手続きは必要なく、設置作業を確実に完了することができる。
【０１３１】
また、このカラー画像形成装置の第三の実施の形態例の他の例では、全体制御部１０１は、設置時の各条件設定が全て揃った時点で所定のパスワードの入力があった場合に、状態保存部１３０の「工程モード」の状態を示す情報を「出荷モード」の状態を示す情報に更新するようにしている。このようにすることで、工程内での偽造の心配のない確実な状態で工程モードを解除することが可能になる。
【０１３２】
〈第四の実施の形態例〉
以上の第四の実施の形態例において、全体制御部１０１は、設置時の各条件設定が全て揃った時点で、自動的に状態保存部１３０の「工程モード」の状態を示す情報を「出荷モード」の状態を示す情報に更新するようにしている。これにより、出荷後は上述した偽造防止用の所定のマークは画像データに重畳されなくなる。
【０１３３】
ところが、出荷後であっても、定期点検、故障時の点検など、顧客以外の者（メンテナンス実行会社のサービスマンなど）が、基板交換や調整や修理の際にカラー画像形成装置１００を操作することがある。このような作業において偽造に用いられた場合、メンテナンス実行会社や製造会社や販売会社の企業責任が問われることになる。また、このような作業時の偽造があれば、企業イメージを大きく損なう可能性もある。
【０１３４】
そこで、このカラー画像形成装置の第四の実施の形態例では、出荷モードになった後に、故障判断や調整などのテストモードになった場合には、全体制御部１０１は状態保存部１３０を「出荷モード」から「出荷後テストモード」の状態を示す情報に書き換える。
【０１３５】
そして、状態保存部１３０に出荷後テストモードの状態を示す情報が保存されている場合に、偽造防止用の所定のマークを画像データに重畳するよう、全体制御部１０１が偽造防止部１６１を制御する。
【０１３６】
これにより、サービスマンによる調整、修理、基板交換時などの出荷後テストモード動作時は、画像データと所定のマークとが重畳された状態で画像形成される。また、テストモード動作を脱した時点でテストモードを示す情報が状態保存部１３０に保存されなくなるので、所定のマークが付されることはなくなる。この結果、出荷後テストモード動作時の偽造防止に十分配慮された状態となる。従って、出荷後テストモード動作時に偽造された有価物が利用されることがなくなり、製造者側や販売者などからみた安全性が向上する。
【０１３７】
この第四の実施の形態例では、上述した第一の実施の形態例と同様の内容の所定のマークを画像データに重畳するように、全体制御部１０１が制御を行うことが好ましい。
【０１３８】
スキャナ部１２０で読み込まれたカラー原稿の画像データは、操作部１１０で設定された処理内容に従って画像処理部１６０で処理される。また、通信部１５０を介して外部から与えられた画像データも、操作部１１０で設定された処理内容に従って画像処理部１６０で処理される。
【０１３９】
この際、すくなくとも、イエロー，マゼンタ，シアンの各色の画像データについては、画像処理部１６０内の偽造防止部１６１Ｃ，１６１Ｍ，１６１Ｙを通過してから、プリンタ部１７０で画像データに応じた露光がなされる。
【０１４０】
ここで、状態保存部１３０に出荷後テストモードであることを示す情報が保存されている場合、全体制御部１０１は、偽造防止部１６１Ｃ，１６１Ｍ，１６１Ｙに指示を与え、読み込み画像（図２（ａ））の画像データに対して、図２（ｂ）〜図２（ｈ）のいずれかに示すように、所定のマーク（偽造防止用パターン）を重畳した状態にする。
【０１４１】
すなわち、このカラー画像形成装置では、状態保存部１３０に出荷後テストモードの状態を示す情報が保存されている場合に、偽造防止用の所定のマークを画像データに重畳するよう、全体制御部１０１が偽造防止部１６１を制御している。
【０１４２】
これにより、出荷後テストモード内では画像データと所定のマークとが重畳された状態で画像形成される。また、出荷後テストモードを脱した時点で出荷後テストモードを示す情報が状態保存部１３０に保存されなくなるので、所定のマークが付されることはなくなる。この結果、出荷後テストモード内の偽造防止に十分配慮された状態となる。従って、出荷後テストモード内で偽造された有価物が利用されることがなくなり、製造者側からみた安全性が向上する。
【０１４３】
なお、偽造防止用の所定のマークとは、図２（ｂ）〜図２（ｈ）に示すように、画像データに重畳すべき縦線（１本実線、１本破線、２本実線、２本破線）、斜め線（１本実線、１本破線、２本実線、２本破線）、横線（１本実線、１本破線、２本実線、２本破線）、縦線と横線あるいは向きの異なる斜め線の組み合わせ、多数の丸印、など各種の態様が考えられる。
【０１４４】
また、また、このカラー画像形成装置の第四の実施の形態例では、プリンタ部１７０が少なくともイエロー，マゼンタ，シアンを含む複数色の色材を用いて画像形成する場合に、偽造防止部１６１が、マゼンタもしくはシアンの少なくとも一方の色の所定のマークを画像データに重畳するように、全体制御部１０１が制御している。
【０１４５】
このように、マゼンタもしくはシアンの少なくとも一方の色で所定のマークを生成することで、マークの視認性を高め、偽造防止効果を高めることができる。さらに、プリンタ部１７０でマーク生成に使用するマゼンタもしくはシアンを使用しないで画像形成しようとすると、画像の全体の色味が変化してしまうので、さらに、偽造防止効果を高めることができる。
【０１４６】
また、また、このカラー画像形成装置の第四の実施の形態例では、プリンタ部１７０が少なくともイエロー，マゼンタ，シアンを含む複数色の色材を用いて画像形成する場合に、偽造防止部１６１が、マゼンタもしくはシアンの少なくとも一方の色にイエローを加えて、所定のマークを画像データに重畳するように、全体制御部１０１が制御している。
【０１４７】
このように、マゼンタもしくはシアンの少なくとも一方の色とイエローとで所定のマークを生成することで、マークの視認性を高め、偽造防止効果を高めることができる。さらに、プリンタ部１７０でマーク生成に使用するマゼンタもしくはシアンを使用しないで画像形成しようとすると、画像の全体の色味が変化してしまうので、さらに、偽造防止効果を高めることができる。また、イエローによって追跡マークを形成することで、追跡機能を有効にすることもでき、偽造防止効果をより一層高めることができる。
【０１４８】
また、また、このカラー画像形成装置の第四の実施の形態例では、プリンタ部１７０が少なくともイエロー，マゼンタ，シアンを含む複数色の色材を用いて画像形成する場合に、偽造防止部１６１が、マゼンタもしくはシアンの少なくとも一方の色にイエローを加えて、すなわち、複数の色の色材を用いて所定のマークを画像データに重畳する際に、複数の色を順次切り換えて所定のマークを生成するようにしている。
【０１４９】
このように、マゼンタもしくはシアンの少なくとも一方の色とイエローとで所定のマークを生成することで、マークの視認性を高め、偽造防止効果を高めることができる。さらに、プリンタ部１７０でマーク生成に使用するマゼンタもしくはシアンを使用しないで画像形成しようとすると、画像の全体の色味が変化してしまうので、さらに、偽造防止効果を高めることができる。また、イエローによって追跡マークを形成することで、追跡機能を有効にすることもでき、偽造防止効果をより一層高めることができる。そして、複数の色を順次切り換えて所定のマークを生成することで、感光体ドラムやその周辺の作像系の負荷を和らげることができ、消耗や疲労を抑えることができる。
【０１５０】
この場合、１頁の画像内で１つのマーク単位に色を変えるようにしてもよいし、複数頁の画像の場合には頁毎に色を変えるようにしてもよい。たとえば、複数頁の原稿の場合は、奇数頁はマゼンタもしくはマゼンタとイエロー、偶数頁はシアンもしくはシアンとイエロー、というように切り換えてもよい。
【０１５１】
なお、ブラックもイエロー，マゼンタ，シアンの組み合わせで発色可能であるため、ブラック単色で偽造防止の所定のマークを形成するより、他の色で偽造防止の所定のマークを形成しておいた方が、偽造防止効果が高まる。
【０１５２】
また、また、このカラー画像形成装置の第四の実施の形態例では、出荷後テストモード内では画像データと所定のマークとが重畳された状態で画像形成するようにしており、この際に、偽造防止部１６１は５ｍｍ以上の間隔で所定のマークを画像データに重畳するように、全体制御部１０１が制御している。
【０１５３】
このように、５ｍｍ以上の間隔で所定のマークを生成することで、画質評価に用いるパッチ（通常は４ｍｍ程度）などの形成および読み取りに影響を与えなくすることができ、偽造防止効果と調整作業との両立を図ることが可能になる。
【０１５４】
また、また、このカラー画像形成装置の第四の実施の形態例では、出荷後テストモード内では画像データと所定のマークとが重畳された状態で画像形成するようにしており、この際に、偽造防止部１６１は１５ｍｍ以下の間隔で所定のマークを画像データに重畳するように、全体制御部１０１が制御している。
【０１５５】
このように、１５ｍｍ以下の間隔で所定のマークを生成することで、所定のマークを避けるようにした切り貼りによる偽造を行い難くし、出荷後テストモード内での偽造防止効果を高めることが可能になる。さらに、この場合、切手や印紙などの１５ｍｍ未満の大きさの有価物の偽造を防止できる。
【０１５６】
さらに、５ｍｍ以上・１５ｍｍ以下の間隔で所定のマークを生成することで、画質評価に用いるパッチなどの形成および読み取りに影響を与えなくすることができ、かつ、所定のマークを避けるようにした切り貼りによる偽造を行い難くし、偽造防止効果と調整作業との両立を図ることが可能になる。
【０１５７】
また、また、このカラー画像形成装置の第四の実施の形態例では、出荷後テストモード内では画像データと所定のマークとが重畳された状態で画像形成するようにしており、この際に、偽造防止部１６１は２ｍｍ以下の間隔の２本線を所定のマークとして画像データに重畳するように、全体制御部１０１が制御している。
【０１５８】
このように、２ｍｍ以下の間隔の２本線による所定のマークを生成することで、所定のマークの視認性を高めて偽造防止効果を高め、所定のマークを避けるようにした切り貼りによる偽造を行い難くし、出荷後テストモード内での偽造防止効果を高めることが可能になる。
【０１５９】
なお、以上の２本線の所定のマークを５ｍｍ以上の間隔で生成することで、画質評価に用いるパッチなどの形成および読み取りに影響を与えなくすることができ、偽造防止効果と調整作業との両立を図ることが可能になる。
【０１６０】
また、以上の２本線の所定のマークを１５ｍｍ以下の間隔で生成することで、所定のマークを避けるようにした切り貼りによる偽造を行い難くし、出荷後テストモード内での偽造防止効果を高めることが可能になる。
【０１６１】
さらに、以上の２本線の所定のマークを５ｍｍ以上・１５ｍｍ以下の間隔で生成することで、画質評価に用いるパッチなどの形成および読み取りに影響を与えなくすることができ、かつ、所定のマークを避けるようにした切り貼りによる偽造を行い難くし、偽造防止効果と調整作業との両立を図ることが可能になる。
【０１６２】
また、また、このカラー画像形成装置の第四の実施の形態例では、出荷後テストモード内では画像データと所定のマークとが重畳された状態で画像形成するようにしており、偽造防止部１６１は、所定のマークを副走査方向に並べるようにして画像データに重畳する。
【０１６３】
このように、副走査方向に並べた所定のマークを生成することで、画質評価に用いるパッチなどは主走査方向の同じ位置に形成することで、該パッチの形成および読み取りに影響を与えなくすることができ、偽造防止効果と調整作業との両立を図ることが可能になる。
【０１６４】
なお、以上の副走査方向に並べた所定のマークを主走査方向５ｍｍ以上の間隔で生成することで、画質評価に用いるパッチなどの形成および読み取りに影響を与えなくすることができ、偽造防止効果と調整作業との両立を図ることが可能になる。また、以上の副走査方向に並べた所定のマークを主走査方向１５ｍｍ以下の間隔で生成することで、所定のマークを避けるようにした切り貼りによる偽造を行い難くし、出荷後テストモード内での偽造防止効果を高めることが可能になる。さらに、以上の副走査方向に並べた所定のマークを主走査方向５ｍｍ以上・１５ｍｍ以下の間隔で生成することで、画質評価に用いるパッチなどの形成および読み取りに影響を与えなくすることができ、かつ、所定のマークを避けるようにした切り貼りによる偽造を行い難くし、偽造防止効果と調整作業との両立を図ることが可能になる。
【０１６５】
また、また、このカラー画像形成装置の第四の実施の形態例では、出荷後テストモード内に画像データと所定のマークとが重畳された状態で画像形成し、偽造防止部１６１は、所定のマークを副走査方向に並べるようにして画像データに重畳しており（ここでは、図３のように、縦方向実線）、この副走査方向に並べた所定のマークの主走査方向からみた開始位置を変更可能に構成されている（図３，ｓｔａｒｔ１、ｓｔａｒｔ２参照）。
【０１６６】
このように、副走査方向に並べた所定のマークについて、主走査方向からみた開始位置を変更可能にしていることで、画質評価に用いるパッチなどとの重なりを防ぐことができ、該パッチの形成および読み取りに影響を与えなくすることができ、偽造防止効果と調整作業との両立を図ることが可能になる。また、主走査方向からみた開始位置を変更することで、感光体ドラムなどの作像系の同じ場所が消耗・疲労することを防止することができる。
【０１６７】
また、また、このカラー画像形成装置の第四の実施の形態例では、出荷後テストモード内では画像データと所定のマークとが重畳された状態で画像形成するようにしており、偽造防止部１６１は、所定のマークを主走査方向に並べるようにして画像データに重畳する。
【０１６８】
このように、主走査方向に並べた所定のマークを生成することで、感光体ドラムなどの作像系の同じ場所が消耗・疲労することを防止することができる。
【０１６９】
なお、以上の主走査方向に並べた所定のマークを副走査方向５ｍｍ以上の間隔で生成することで、画質評価に用いるパッチなどの形成および読み取りに影響を与えなくすることができ、偽造防止効果と調整作業との両立を図ることが可能になる。また、以上の主走査方向に並べた所定のマークを副走査方向１５ｍｍ以下の間隔で生成することで、所定のマークを避けるようにした切り貼りによる偽造を行い難くし、出荷後テストモード内での偽造防止効果を高めることが可能になる。さらに、以上の主走査方向に並べた所定のマークを副走査方向５ｍｍ以上・１５ｍｍ以下の間隔で生成することで、画質評価に用いるパッチなどの形成および読み取りに影響を与えなくすることができ、かつ、所定のマークを避けるようにした切り貼りによる偽造を行い難くし、偽造防止効果と調整作業との両立を図ることが可能になる。
【０１７０】
また、また、このカラー画像形成装置の第四の実施の形態例では、出荷後テストモード内では画像データと所定のマークとが重畳された状態で画像形成するようにしており、偽造防止部１６１は、所定のマークを主走査方向と副走査方向とが組み合わされた方向（斜め方向）に並べるようにして画像データに重畳する。
【０１７１】
このように、斜め方向に並べた所定のマークを生成することで、感光体ドラムなどの作像系の同じ場所が消耗・疲労することを防止することができる。
【０１７２】
なお、以上の主走査方向に並べた所定のマークを副走査方向５ｍｍ以上の間隔で生成することで、画質評価に用いるパッチなどの形成および読み取りに影響を与えなくすることができ、偽造防止効果と調整作業との両立を図ることが可能になる。また、以上の主走査方向に並べた所定のマークを副走査方向１５ｍｍ以下の間隔で生成することで、所定のマークを避けるようにした切り貼りによる偽造を行い難くし、出荷後テストモード内での偽造防止効果を高めることが可能になる。さらに、以上の主走査方向に並べた所定のマークを副走査方向５ｍｍ以上・１５ｍｍ以下の間隔で生成することで、画質評価に用いるパッチなどの形成および読み取りに影響を与えなくすることができ、かつ、所定のマークを避けるようにした切り貼りによる偽造を行い難くし、偽造防止効果と調整作業との両立を図ることが可能になる。
【０１７３】
また、また、このカラー画像形成装置の第四の実施の形態例では、全体制御部１０１は、調整時の各条件設定が全て揃った時点で、自動的に状態保存部１３０の「出荷後テストモード」の状態を示す情報を「出荷モード」の状態を示す情報に更新するようにしている。このようにすることで、出荷後テストモードを解除するための特別の手続きは必要なく、設置作業を確実に完了することができる。
【０１７４】
また、また、このカラー画像形成装置の第四の実施の形態例では、全体制御部１０１は、調整時の各条件設定が全て揃った時点で所定のパスワードの入力があった場合に、状態保存部１３０の「出荷後テストモード」の状態を示す情報を「出荷モード」の状態を示す情報に更新するようにしている。このようにすることで、出荷後テストモード内での偽造の心配のない確実な状態で出荷後テストモードを解除することが可能になる。
【０１７５】
なお、以上の第四の実施の形態例における動作について、全体制御部１０１は図５の問題分析図に従って、各部を制御する。
【０１７６】
まず、全体制御部１０１は、状態保存部１３０に工程モードの状態を示す情報が保存されている場合は、テストパターンを画像形成していれば偽造防止用の所定のマークを画像データに重畳しないが、テストパターン以外を画像形成している場合には偽造防止用の所定のマークを画像データに重畳する。
【０１７７】
また、全体制御部１０１は、状態保存部１３０に工程モードの状態を示す情報が保存されていない場合であって、出荷後テストモードで画像形成していれば偽造防止用の所定のマークを画像データに重畳し、出荷後テストモード以外で画像形成している場合には、通常の動作時の画像形成であるので、偽造防止用の所定のマークを画像データに重畳しない。
【０１７８】
このように、出荷後テストモードで画像形成している場合には、偽造防止用の所定のマークを画像データに重畳することで、出荷後テストモード動作時の偽造防止に十分配慮された状態となる。従って、出荷後テストモード動作時に偽造された有価物が利用されることがなくなり、製造者側や販売者などからみた安全性が向上する。
【０１７９】
また、このカラー画像形成装置の第四の実施の形態例では、全体制御部１０１は、状態保存部１３０に出荷後テストモードの状態を示す情報が保存されている場合であっても、テストパターン保持部１４０からのテストパターンに関する画像データを画像形成している場合には、あくまでもテストパターンの出力であり、偽造の問題は生じないため、偽造防止用の所定のマークを画像データに重畳しないよう偽造防止部１６１を制御することも好ましい。
【０１８０】
このように、テストパターン保持部１４０からの内部のテストパターンを画像形成している場合には、偽造防止用の所定のマークを画像データに重畳しないようにすることで、テストパターンを用いた調整動作に悪影響を与えることがなくなる。
【０１８１】
この動作について、全体制御部１０１は図６の問題分析図に従って、各部を制御する。
【０１８２】
まず、全体制御部１０１は、状態保存部１３０に工程モードの状態を示す情報が保存されている場合は、テストパターンを画像形成していれば偽造防止用の所定のマークを画像データに重畳しないが、テストパターン以外を画像形成している場合には偽造防止用の所定のマークを画像データに重畳する。
【０１８３】
また、全体制御部１０１は、状態保存部１３０に工程モードの状態を示す情報が保存されていない場合であって、出荷後テストモードで画像形成している場合には、テストパターンを画像形成していれば偽造防止用の所定のマークを画像データに重畳しないが、テストパターン以外を画像形成している場合には偽造防止用の所定のマークを画像データに重畳する。
【０１８４】
また、全体制御部１０１は、状態保存部１３０に工程モードの状態を示す情報が保存されていない場合であって、出荷後テストモード以外で画像形成している場合には、通常の動作時の画像形成であるので、偽造防止用の所定のマークを画像データに重畳しない。
【０１８５】
このように、出荷後テストモードで画像形成している場合であって、テストパターン出力以外の場合には、偽造防止用の所定のマークを画像データに重畳することで、出荷後テストモード動作時の偽造防止に十分配慮された状態となる。従って、出荷後テストモード動作時に偽造された有価物が利用されることがなくなり、製造者側や販売者などからみた安全性が向上する。また、出荷後テストモードであっても、テストパターン保持部１４０からの内部のテストパターンを画像形成している場合には、偽造防止用の所定のマークを画像データに重畳しないようにすることで、テストパターンを用いた調整動作に悪影響を与えることがなくなる。
【０１８６】
【発明の効果】
以上、説明したように、本発明によれば、以下に列記するような効果が得られる。
【０１８７】
（１）このカラー画像形成装置の発明では、状態保存部に工程モードの状態を示す情報が保存されている場合に、偽造防止用の所定のマークを画像データに重畳するよう、制御部が偽造防止部を制御している。これにより、製造工程内では画像データと所定のマークとが重畳された状態で画像形成される。また、製造工程を脱した時点で工程モードを示す情報が状態保存部に保存されなくなるので、所定のマークが付されることはなくなる。この結果、工程内の偽造防止に十分配慮された状態となる。従って、工程内で偽造された有価物が利用されることがなくなり、製造者側からみた安全性が向上する。
【０１８８】
（２）このカラー画像形成装置の発明では、状態保存部に出荷後テストモードの状態を示す情報が保存されている場合に、偽造防止用の所定のマークを画像データに重畳するよう、制御部が偽造防止部を制御している。これにより、出荷後テストモード動作時は画像データと所定のマークとが重畳された状態で画像形成される。また、テストモード動作を脱した時点でテストモードを示す情報が状態保存部に保存されなくなるので、所定のマークが付されることはなくなる。この結果、出荷後テストモード動作時の偽造防止に十分配慮された状態となる。従って、出荷後テストモード動作時に偽造された有価物が利用されることがなくなり、製造者側や販売者などからみた安全性が向上する。
【０１８９】
（３）このカラー画像形成装置の発明では、プリンタ部が少なくともイエロー，マゼンタ，シアンを含む複数色の色材を用いて画像形成する場合に、偽造防止部が、マゼンタもしくはシアンの少なくとも一方の色の所定のマークを画像データに重畳するようにしている。このように、マゼンタもしくはシアンの少なくとも一方の色で所定のマークを生成することで、マークの視認性を高め、偽造防止効果を高めることができる。さらに、プリンタ部でマーク生成に使用するマゼンタもしくはシアンを使用しないで画像形成しようとすると、画像の全体の色味が変化してしまうので、さらに、偽造防止効果を高めることができる。
【０１９０】
（４）このカラー画像形成装置の発明では、プリンタ部が少なくともイエロー，マゼンタ，シアンを含む複数色の色材を用いて画像形成する場合に、偽造防止部が、マゼンタもしくはシアンの少なくとも一方の色にイエローを加えて、所定のマークを画像データに重畳するようにしている。このように、マゼンタもしくはシアンの少なくとも一方の色とイエローとで所定のマークを生成することで、マークの視認性を高め、偽造防止効果を高めることができる。さらに、プリンタ部でマーク生成に使用するマゼンタもしくはシアンを使用しないで画像形成しようとすると、画像の全体の色味が変化してしまうので、さらに、偽造防止効果を高めることができる。また、イエローによって追跡マークを形成することで、追跡機能を有効にすることもでき、偽造防止効果をより一層高めることができる。
【０１９１】
（５）このカラー画像形成装置の発明では、プリンタ部が少なくともイエロー，マゼンタ，シアンを含む複数色の色材を用いて画像形成する場合に、偽造防止部が、マゼンタもしくはシアンの少なくとも一方の色にイエローを加えて、すなわち、複数の色の色材を用いて所定のマークを画像データに重畳する際に、複数の色を順次切り換えて所定のマークを生成するようにしている。このように、マゼンタもしくはシアンの少なくとも一方の色とイエローとで所定のマークを生成することで、マークの視認性を高め、偽造防止効果を高めることができる。さらに、プリンタ部でマーク生成に使用するマゼンタもしくはシアンを使用しないで画像形成しようとすると、画像の全体の色味が変化してしまうので、さらに、偽造防止効果を高めることができる。また、イエローによって追跡マークを形成することで、追跡機能を有効にすることもでき、偽造防止効果をより一層高めることができる。そして、複数の色を順次切り換えて所定のマークを生成することで、感光体ドラムやその周辺の作像系の負荷を和らげることができ、消耗や疲労を抑えることができる。
【０１９２】
（６）このカラー画像形成装置の発明では、製造工程内あるいは出荷後テストモード動作時では画像データと所定のマークとが重畳された状態で画像形成するようにしており、この際に、偽造防止部は５ｍｍ以上の間隔で所定のマークを画像データに重畳するようにしている。このように、５ｍｍ以上の間隔で所定のマークを生成することで、画質評価に用いるパッチなどの形成および読み取りに影響を与えなくすることができ、偽造防止効果と調整作業との両立を図ることが可能になる。
【０１９３】
（７）このカラー画像形成装置の発明では、製造工程内あるいは出荷後テストモード動作時では画像データと所定のマークとが重畳された状態で画像形成するようにしており、この際に、偽造防止部は１５ｍｍ以下の間隔で所定のマークを画像データに重畳するようにしている。このように、１５ｍｍ以下の間隔で所定のマークを生成することで、所定のマークを避けるようにした切り貼りによる偽造を行い難くし、工程内での偽造防止効果を高めることが可能になる。さらに、５ｍｍ以上・１５ｍｍ以下の間隔で所定のマークを生成することで、画質評価に用いるパッチなどの形成および読み取りに影響を与えなくすることができ、かつ、所定のマークを避けるようにした切り貼りによる偽造を行い難くし、偽造防止効果と調整作業との両立を図ることが可能になる。
【０１９４】
（８）このカラー画像形成装置の発明では、製造工程内あるいは出荷後テストモード動作時では画像データと所定のマークとが重畳された状態で画像形成するようにしており、この際に、偽造防止部は２ｍｍ以下の間隔の２本線を所定のマークとして画像データに重畳するようにしている。このように、２ｍｍ以下の間隔の２本線による所定のマークを生成することで、所定のマークの視認性を高めて偽造防止効果を高め、所定のマークを避けるようにした切り貼りによる偽造を行い難くし、工程内での偽造防止効果を高めることが可能になる。なお、以上の２本線の所定のマークを５ｍｍ以上の間隔で生成することで、画質評価に用いるパッチなどの形成および読み取りに影響を与えなくすることができ、偽造防止効果と調整作業との両立を図ることが可能になる。また、以上の２本線の所定のマークを１５ｍｍ以下の間隔で生成することで、所定のマークを避けるようにした切り貼りによる偽造を行い難くし、工程内での偽造防止効果を高めることが可能になる。さらに、以上の２本線の所定のマークを５ｍｍ以上・１５ｍｍ以下の間隔で生成することで、画質評価に用いるパッチなどの形成および読み取りに影響を与えなくすることができ、かつ、所定のマークを避けるようにした切り貼りによる偽造を行い難くし、偽造防止効果と調整作業との両立を図ることが可能になる。
【０１９５】
（９）このカラー画像形成装置の発明では、製造工程内あるいは出荷後テストモード動作時では画像データと所定のマークとが重畳された状態で画像形成するようにしており、偽造防止部は、所定のマークを副走査方向に並べるようにして画像データに重畳する。
【０１９６】
このように、副走査方向に並べた所定のマークを生成することで、画質評価に用いるパッチなどは主走査方向の同じ位置に形成することで、該パッチの形成および読み取りに影響を与えなくすることができ、偽造防止効果と調整作業との両立を図ることが可能になる。なお、以上の副走査方向に並べた所定のマークを主走査方向５ｍｍ以上の間隔で生成することで、画質評価に用いるパッチなどの形成および読み取りに影響を与えなくすることができ、偽造防止効果と調整作業との両立を図ることが可能になる。また、以上の副走査方向に並べた所定のマークを主走査方向１５ｍｍ以下の間隔で生成することで、所定のマークを避けるようにした切り貼りによる偽造を行い難くし、工程内での偽造防止効果を高めることが可能になる。さらに、以上の副走査方向に並べた所定のマークを主走査方向５ｍｍ以上・１５ｍｍ以下の間隔で生成することで、画質評価に用いるパッチなどの形成および読み取りに影響を与えなくすることができ、かつ、所定のマークを避けるようにした切り貼りによる偽造を行い難くし、偽造防止効果と調整作業との両立を図ることが可能になる。
【０１９７】
（１０）このカラー画像形成装置の発明では、製造工程内あるいは出荷後テストモード動作時に画像データと所定のマークとが重畳された状態で画像形成し、偽造防止部は、所定のマークを副走査方向に並べるようにして画像データに重畳しており、この副走査方向に並べた所定のマークの主走査方向からみた開始位置を変更可能に構成されている。
【０１９８】
このように、副走査方向に並べた所定のマークについて、主走査方向からみた開始位置を変更可能にしていることで、画質評価に用いるパッチなどとの重なりを防ぐことができ、該パッチの形成および読み取りに影響を与えなくすることができ、偽造防止効果と調整作業との両立を図ることが可能になる。また、主走査方向からみた開始位置を変更することで、感光体ドラムなどの作像系の同じ場所が消耗・疲労することを防止することができる。
【０１９９】
（１１）このカラー画像形成装置の発明では、製造工程内あるいは出荷後テストモード動作時では画像データと所定のマークとが重畳された状態で画像形成するようにしており、偽造防止部は、所定のマークを主走査方向に並べるようにして画像データに重畳する。このように、主走査方向に並べた所定のマークを生成することで、感光体ドラムなどの作像系の同じ場所が消耗・疲労することを防止することができる。なお、以上の主走査方向に並べた所定のマークを副走査方向５ｍｍ以上の間隔で生成することで、画質評価に用いるパッチなどの形成および読み取りに影響を与えなくすることができ、偽造防止効果と調整作業との両立を図ることが可能になる。また、以上の主走査方向に並べた所定のマークを副走査方向１５ｍｍ以下の間隔で生成することで、所定のマークを避けるようにした切り貼りによる偽造を行い難くし、工程内での偽造防止効果を高めることが可能になる。さらに、以上の主走査方向に並べた所定のマークを副走査方向５ｍｍ以上・１５ｍｍ以下の間隔で生成することで、画質評価に用いるパッチなどの形成および読み取りに影響を与えなくすることができ、かつ、所定のマークを避けるようにした切り貼りによる偽造を行い難くし、偽造防止効果と調整作業との両立を図ることが可能になる。
【０２００】
（１２）このカラー画像形成装置の発明では、製造工程内あるいは出荷後テストモード動作時では画像データと所定のマークとが重畳された状態で画像形成するようにしており、偽造防止部は、所定のマークを主走査方向と副走査方向とが組み合わされた方向（斜め方向）に並べるようにして画像データに重畳する。このように、斜め方向に並べた所定のマークを生成することで、感光体ドラムなどの作像系の同じ場所が消耗・疲労することを防止することができる。なお、以上の主走査方向に並べた所定のマークを副走査方向５ｍｍ以上の間隔で生成することで、画質評価に用いるパッチなどの形成および読み取りに影響を与えなくすることができ、偽造防止効果と調整作業との両立を図ることが可能になる。また、以上の主走査方向に並べた所定のマークを副走査方向１５ｍｍ以下の間隔で生成することで、所定のマークを避けるようにした切り貼りによる偽造を行い難くし、工程内での偽造防止効果を高めることが可能になる。さらに、以上の主走査方向に並べた所定のマークを副走査方向５ｍｍ以上・１５ｍｍ以下の間隔で生成することで、画質評価に用いるパッチなどの形成および読み取りに影響を与えなくすることができ、かつ、所定のマークを避けるようにした切り貼りによる偽造を行い難くし、偽造防止効果と調整作業との両立を図ることが可能になる。
【０２０１】
（１３）このカラー画像形成装置の発明では、制御部は、状態保存部に工程モードあるいは出荷後テストモードの状態を示す情報が保存されている場合であっても、テストパターン保持部からのテストパターンに関する画像データを画像形成している場合には、偽造の問題は生じないため、偽造防止用の所定のマークを画像データに重畳しないよう偽造防止部を制御する。このように、テストパターン保持部からの内部のテストパターンを画像形成している場合には、偽造防止用の所定のマークを画像データに重畳しないようにすることで、テストパターンを用いた調整動作に悪影響を与えることがなくなる。
【０２０２】
（１４）このカラー画像形成装置の発明では、制御部は、設置時の各条件設定が全て揃った時点で、自動的に状態保存部の工程モードの状態を示す情報を出荷モードの状態を示す情報に更新するようにしている。このようにすることで、工程モードを解除するための特別の手続きは必要なく、設置作業を確実に完了することができる。
【０２０３】
（１５）このカラー画像形成装置の発明では、制御部は、設置時の各条件設定が全て揃った時点で所定のパスワードの入力があった場合に、状態保存部の工程モードの状態を示す情報を出荷モードの状態を示す情報に更新するようにしている。このようにすることで、工程内での偽造の心配のない確実な状態で工程モードを解除することが可能になる。
【図面の簡単な説明】
【図１】本発明の実施の形態例のカラー画像形成装置の電気的構成を示す構成図である。
【図２】本発明の実施の形態例における偽造防止用の所定のマークの形成例を示す説明図である。
【図３】本発明の実施の形態例における偽造防止用の所定のマークの形成例を示す説明図である。
【図４】本発明の実施の形態例のカラー画像形成装置における全体制御部の制御状態を示す問題分析図である。
【図５】本発明の実施の形態例のカラー画像形成装置における全体制御部の制御状態を示す問題分析図である。
【図６】本発明の実施の形態例のカラー画像形成装置における全体制御部の制御状態を示す問題分析図である。
【符号の説明】
１００  カラー画像形成装置
１０１  全体制御部
１１０  操作部
１２０  スキャナ部
１３０  状態保存部
１４０  テストパターン保持部
１５０  通信部
１６０  画像処理部
１６１  偽造防止部
１７０  プリンタ部
【図１】
2004347923.tif 000003
【図２】
2004347923.tif 000004
【図３】
2004347923.tif 000005
【図４】
2004347923.tif 000006
【図５】
2004347923.tif 000007
【図６】
2004347923.tif 000008